(57)【要約】      （修正有）【課題】使用者自身の過去を振り返ることや、日々の状況を俯瞰することで現状を把握し、使用者自身の将来に対する目標設定をする際の助けとなると共に、さらに、使用者自身の人生の軌跡を一纏めに記録し残すことで、後世にも脈々と繋げることが出来る人生記録簿を提供する。【解決手段】表紙と、裏表紙と、表紙と裏表紙との間に着脱自在に綴られた複数の記録用紙とを有し、記録用紙は過去の事象を記載する過去記録用紙４Ａと、現在の事象を記載する現在記録用紙４Ｂと、将来に向けての事象を記載する未来記録用紙４Ｃとを設け、過去記録用紙４Ａを綴じる過去領域と、現在記録用紙４Ｂを綴じる現在領域と、未来記録用紙４Ｃを綴じる未来領域とを其々設け、各記録用紙には、具体的な記載を促す案内となる案内欄と、案内欄にそって使用者が具体的に記録や目標などを記載する記載欄とを有する構成とした。【選択図】図２
0003232031.tif 000002
【実用新案登録請求の範囲】
【請求項１】
表紙と、裏表紙と、前記表紙と前記裏表紙との間に着脱自在に綴られた複数の記録用紙とを有し、前記記録用紙は過去の事象を記載する過去記録用紙と、現在の事象を記載する現在記録用紙と、家族に向けての事象を記載する未来記録用紙とを設け、前記過去記録用紙を綴じる過去領域と、前記現在記録用紙を綴じる現在領域と、前記未来記録用紙を綴じる未来領域とを其々設け、各記録用紙には、具体的な記載を促す案内となる案内欄と、前記案内欄にそって使用者が具体的に記録や目標などを記載する記載欄を有していることを特徴とする人生記録簿。
【請求項２】
前記記録用紙に前記使用者の子供に関する記載を促す子供記録用紙を設け、子供に関する記載を使用者である親が記載することを促し記録を進め、子供が成長して自ら人生記録を記載し始める時には、前記子供記録用紙を分冊し、新しい人生記録簿に付加して子供に渡すことで子供が自身の過去に関する参考とすることができることを特徴とする請求項１に記載の人生記録簿。
【請求項３】
前記表紙と前記裏表紙との間に、記念となる物品や残すべき重要な物品を収納可能となる透明なシートで形成された収納シートが、着脱自在に綴られたことを特徴とする請求項１に記載の人生記録簿。
【請求項４】
前記案内欄に、使用者自身の人生を振り返り、見つめ直し、今後に生かすために頭を整理する思考を与えるように案内する記載を印刷したことを特徴とする請求項１に記載の人生記録簿。
【考案の詳細な説明】
【技術分野】
【０００１】
本考案は、使用者自身の人生を日々振り返りながら、今後の人生における目標設定をする際の助けとなり、さらには残される家族などに残す記録としても活用できる人生記録簿に関するものである。
【背景技術】
【０００２】
従来、使用者自身の予定や日々の出来事を記録するものとして、日記帳が使用されてきた。その日記帳は通常１月から１２月まで毎月順に記録し、１年毎に新しい日記帳に取り換えて使用する形式となっていた。
【０００３】
しかし、近年は、何年か前の同一月の同一日に何があったかという事実等を複数年に亘って確認できることが求められ、特許文献１には、複数年に亘って記入する日記帳としての人生記録帳が開示されている。
【先行技術文献】
【特許文献】
【０００４】
【特許文献１】実用新案登録第３１０６７４２号公報
【考案の概要】
【考案が解決しようとする課題】
【０００５】
しかしながら、上記特許文献１に記載の人生記録帳は、複数年に亘る記録を一度に見比べることで過去の記憶を呼び戻す効果が得られるだけであり、使用者自身の現状を把握する行為や、使用者自身の将来へ向けての目標設定を助長する効果は得られなかった。
【０００６】
本考案は、上記課題を鑑みてなされたものであり、その具体的目的は、使用者自身の過去を振り返ることや、日々の状況を俯瞰することで現状を把握し、使用者自身の将来に対する目標設定をする際の助けとなると共に、さらに、使用者自身の人生の軌跡を一纏めに記録し残すことで、後世にも伝えることが出来る人生記録簿を提供することにある。
【課題を解決するための手段】
【０００７】
本考案は、上記目的を達成するために案出されたものである。詳述するならば、表紙と、裏表紙と、前記表紙と前記裏表紙との間に着脱自在に綴られた複数の記録用紙とを有し、前記記録用紙は過去の事象を記載する過去記録用紙と、現在の事象を記載する現在記録用紙と、将来に向けての事象を記載する未来記録用紙とを設け、前記過去記録用紙を綴じる過去領域と、前記現在記録用紙を綴じる現在領域と、前記未来記録用紙を綴じる未来領域とを其々設け、各記録用紙には、具体的な記載を促す案内となる案内欄と、前記案内欄にそって使用者が具体的に記録や目標などを記載する記載欄とからなる構成が含まれる。
【０００８】
本考案の人生記録簿は、着脱自在の記録用紙を有することから、使用者の必要に応じて追加することや、逆に不要な部分は削除することも可能であり、さらに、案内欄を有することで使用者が記載し易いことと、全ての記載欄に対して記載を求めていないことから、使用者にとっては使用開始に対する容易さや、継続し易さの効果が得られる。
【０００９】
さらに説明すると、本考案には、前記記録用紙に前記使用者の子供に関する記載を促す子供記録用紙を設け、まずは、子供に関する記載を使用者である親が記録し、子供が成長して自ら人生記録を使用し始める時には、前記子供記録用紙を分冊し、新しい人生記録簿に付加して子供に渡すことで子供が自身の過去に関する記載の参考とすることができる構成が含まれる。
【００１０】
本考案によれば、使用者である親が子供の誕生から成長の記録を進め、その時々の子供に対する気持ちや愛情を記録することで、使用者である親が子供に対する愛情を再確認することが出来ることと、子供が成長して自身で人生記録簿を使用する際には、上述の子供記録用紙を分冊して新たな人生記録簿に付加して渡すことで、親がどれだけ愛情を注ぎ育ててきたかを次の世代の使用者となる子供が確認でき、子供自身が過去を振り返る参考とすることで次世代に脈々と繋がる効果がある。
【００１１】
また、本考案には、前記表紙と前記裏表紙との間に、記念となる物品や残すべき重要な物品、例えば、各種カード、保険証、会員証、お薬手帳、健康診断書などを収納可能となる透明なシートで形成された収納シートが着脱自在に綴られた構成が含まれる。
【００１２】
本考案によれば、使用者の今までの記念となる画像や、大切なカード、保険証などを整理収納することで、使用者が突然の病に伏した時や、人生の終末を迎えた時など、残された家族に残すべき物や、伝えたい事柄を整理することで、家族の負担を減らすことが出来る効果がある。
【００１３】
さらに、本考案には、前記案内欄に、使用者自身の人生を振り返り、見つめ直し、今後に生かすために頭を整理する思考を与えるように案内する記載を印刷した構成が含まれる。
【００１４】
本考案によれば、成人前後の若年期に属する使用者であっても、自身の人生について振り返り、見つめ直し、今後に生かすために頭を整理することができる効果が得られる。
【考案の効果】
【００１５】
本考案の人生記録簿は、成人前後の若年層から使用開始して、使用開始した時期は自身の過去を振り返り、また現状を俯瞰で確認することで自身の人生を見つめ直し、子供が成人した時には分冊し引継ぎ、人生の終末期においては残される家族に向けた記載も出来ることから使用者の一生に亘る軌跡を一冊に記録できるばかりか、次世代に脈々と繋げることが出来る効果がある。
【図面の簡単な説明】
【００１６】
【図１】本考案に係る人生記録簿を示す斜視図である。
【図２】本考案に係る記録用紙を示す説明図である。
【図３】本考案に係る記録用紙の例を示す図である。
【図４】本考案に係る収納シートを示す説明図である。
【考案を実施するための形態】
【００１７】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
【００１８】
図１に示されるように、本考案に係る人生記録簿１は、表紙２と、裏表紙３と、表紙２と裏表紙３との間に着脱自在に綴られた複数の記録用紙４と開閉自在のリング型綴じ具６とを有し、記録用紙４にはリング用貫通孔７が形成されている。
【００１９】
図１及び図２に示されるように、記録用紙４には過去の事象を記載する過去記録用紙４Aと、現在の事象を記載する現在記録用紙４Bと、将来に向けての事象を記載する未来記録用紙４Cと、子供に関する記載を促す子供記録用紙４Dとが設定されている。
【００２０】
過去記録用紙４Aを綴じる過去領域を区分けする過去タグ５Aと、現在記録用紙４Bを綴じる現在領域を区分けする現在タグ５Bと、未来記録用紙４Cを綴じる未来領域を区分けする未来タグ５Cと子供記録用紙４Dを綴じる子供領域を区分けする子供タグ５Dとが配設されている。なお、子供記録用紙４Dと子供タグ５Dとは、使用者の子供が複数人数生まれた場合は、その人数分を追加し配設すればよい。
【００２１】
また、図３に示すように、記録用紙４は、具体的な記載を促す案内となる案内欄４１と、案内欄４１にそって使用者が具体的に記録や目標などを記載する記載欄４２と、記入日を記載する記入日欄４４と、思い出や記録として残したい画像などを貼着可能な画像欄４３などを選択し組み合わせて構成すれば良い。
【００２２】
さらに、図４に示すように、記念となる物品や残すべき重要な物品を収納可能となる透明なシートで形成された収納シート１０が形成され、各種カード、保険証、会員証などの比較的小さな物品が収納可能となる小型収納部１０Aと、お薬手帳、健康診断書などを収納可能となる中型収納部１０Bなど、整理するにために必要となる所用寸法の収納部を配設すればよい。
【００２３】
収納シート１０は、リング型綴じ具６に着脱可能となるように、リング用貫通孔７が収納シートの縁端部近傍に形成され、小型収納部１０Aと中型収納部１０Bの端部所要位置に、収容物を挿入可能となる収納口１０Ｃ，１０Ｄが形成されている。
【００２４】
次に、案内欄４１の印刷内容やその目的について説明する。
まず、過去記録用紙４Aに印刷する案内欄４１は、使用者が成人前後の若年層でも使用できる内容とする。例えば、使用者自身しか知らないマイヒストリーの回帰や、過去の自身の内面感情にフォーカスをあて、本心との対話を案内することで、新たな発見を促す。ここで、思い出を回帰することや家系図などで使用者自身のルーツを知ることは、多くの人との関わりの中で自身が生まれ、そして育ってきたことを実感し、命の大切さ、特に、「ありがとう」という気持ちを再確認することができる内容とすれば良い。
【００２５】
現在記録用紙４Bに印刷する案内欄４１は、使用者自身の趣味などの仕事以外のスケジュール管理などを記載するように促し、現在どの様なことで気持ちが高揚するのか？使用者自身の比較的近々に叶えたい希望などを想起させ、生きがいを感じさせる内容とすれば良い。
【００２６】
未来記録用紙４Cに印刷する案内欄４１は、使用者が例えば熟年期に差し掛かり、将来自身に訪れるであろう終末期に向けて、残される家族に伝えたい医療や介護の方針、葬儀、相続、誰に何を残し繋ぎたいのかなどを記録することを促す内容とすれば、自身の意思を伝えることができると共に、残される家族の負担も減らす効果がある。
【００２７】
子供記録用紙４Dに印刷する案内欄４１は、使用者である親に子供の成長の記録や、その時々の子供に対する自身の愛情や素直な気持ちなどを記載することを促す内容とすれば良い。使用者である親は、記録や記載を進めることで、自身の子供へ対する愛情を再確認することができ、育児ノイローゼ―などに対する予防や、また、子供が成長して若年期に差し掛かり子供記録用紙４Dを分冊して、新たな人生記録簿１にと共に渡す時には、使用者である親が子離れするきっかけとしての効果も期待できる。
【００２８】
一方、新しい人生記録簿１と、親が記載した子供記録用紙４Dとを受け取った次の世代である使用者自身は、親が自分へ注いだ愛情を再確認すると共に、自身の過去記録用紙４Aに記載を進める際の参考にできる。すなわち、親から子供へ繋げることができ、さらにはその次の世代へも脈々と繋げることが可能となり、何代か後には先祖の内容を知ることが出来る人生記録簿としての効果が期待できる。
【実施例】
【００２９】
以下、本考案の実施例について説明するが、本考案は、以下の実施例に限定されるものではなく、文言の選択などを含め考案の要旨の範囲内で適宜変更して実施できる。
【００３０】
本考案の過去記録用紙を作成するために、案内欄に印刷する実施例として以下の様な内容が採用できる。例えば、テーマとして「出会ってくれてありがとう」と題して、促す文面例としては「１０ヶ月前後お母さんのおなかの中で育って、無事に生まれて、快不快も言葉に出来なかった赤ちゃんの時から、これまで成長してきた事は、一人の力では無かったことをゆっくり思い出してください。小学校や中学校の友人や先生、修学旅行や運動会、よく遊んだ幼馴染やご近所さん初恋や運命の出会い、仕事の同僚や社長の言葉、感銘を受けた映画や好きな音楽など、だれにでもある思い出の引き出しをこっそりと開けてみてください」と印刷する。
【００３１】
また、次のテーマとして「自分らしい生き方って何だろう」と題して、「あなたの幸せは？」、「目標として近づきたい人はいますか？」、「なりたい自分とは？」などの質問を印刷する。さらに、「心をまっさらにして人生を棚卸し」をテーマにして、「やりたかったけれどやれなかった事、なりたかったけれどなれなかった事は何でしょうか？その時の自分で行った解決方法をお聞かせ下さい」などと質問を印刷する。
【００３２】
直近の目標設定として、テーマを「思考は現実化する〜私の２年後〜」と題して、○○年○○月○○日この日までに、どこに住み、年収目標、貯蓄目標、容姿に関する記載、家族、生活スタイルなど使用者の任意期間での目標設定を促す印刷をする。
【００３３】
本考案の現在記録用紙を作成する実施例として以下の様な内容が採用できる。例えば、テーマとして「第３の居場所（サードプレイス）」と題して、使用者の現在の趣味、コミュニティやボランティアなどの画像を貼着する画像欄を有するページを設定したり、其々の活動スケジュールを記載する記載欄を設けたり、第３の居場所における近未来の目標設定を促すリスト表組を印刷する。
【００３４】
本考案の未来記録用紙を作成する実施例として以下の様な内容が採用できる。例えば、「私の基本情報」と題したページには、名前、血液型、生年月日、住所、電話番号、メールアドレス、勤務先、出生地、父、母、兄弟姉妹、名前の由来や誕生時の話、資格免許など残された家族や遺族の参考となる事項を記載する欄を設ける。さらにはペットに関するページ、臓器提供の意思表明のページ、余命告知や延命治療についての意思表明のページ、介護が必要となった場合やや認知症となった時の対処に関する意思表明のページ、金融機関の所有口座明細一覧ページ、公共料金支払い方法のページ、パソコン関連や携帯電話関連の契約先明細ページ、遺言書に関するページ（作成済み保管場所他）、葬儀に関する希望を伝えるページ、法要・納骨・仏壇などの希望を伝えるページ、社会保険やその他公共料金など日常に関する記載ページ、財産・納税などに関するページを設定する。
【００３５】
本考案の子供記録用紙を作成するために、実施例として以下の様な内容が採用できる。例えば、テーマとして「小さな命は始まった」と題して、エコー画像や写真などを貼着する画像欄や、「お腹の中にいる赤ちゃんへ」と印刷し使用者の赤ちゃんへの思いを記載する記載欄や、生まれた時の手形・足形・成長過程の画像を貼着する画像欄などを設定する。また、「はじめてものがたり」と題して、はじめて笑った、発した言葉、ハイハイした時、立った時、歩いた時、お出かけ、離乳食を食べた等々項目を印刷して記録・記載する記載欄を設ける。同様に「だいすきなもの」と題して、食べ物、動物、お友達、おもちゃ・絵本、遊び等々項目を印刷して記録・記載する記載欄を設ける。さらに「ある日のできごと」と題して、日付欄と記載欄を設ける。
【００３６】
以上のように、本考案を実施するための最良の構成、方法等は、上記記載で開示されているが、本考案は、これに限定されるものではない。例えば、上記実施形態では、記録用紙にリング用貫通孔を設け、リング型綴じ具で着脱自在に綴じると説明したが、綴じる方式を限定するものではなく、単に表紙と裏表紙との間に開閉自在の挟持具を設けて、記録用紙を挟持することとしてもよいし、リング用貫通孔を有する透明な収納シートを綴じ、その収納シートに記録用紙を収納するすることとしてもよい。
【符号の説明】
【００３７】
１    人生記録簿
２    表紙
３    裏表紙
４    記録用紙
４Ａ    過去記録用紙
４Ｂ    現在記録用紙
４Ｃ    未来記録用紙
４Ｄ    子供記録用紙
５Ａ    過去タグ
５Ｂ    現在タグ
５Ｃ    未来タグ
５Ｄ    子供タグ
６    リング型綴じ具
７    リング用貫通孔
１０    収納シート
１０Ａ    小型収納部
１０Ｂ    中型収納部
１０Ｃ，１０Ｄ    収納口
４１    案内欄
４２    記載欄
４３    画像欄
４４    記入日欄
【図１】
0003232031.tif 000003
【図２】
0003232031.tif 000004
【図３】
0003232031.tif 000005
【図４】
0003232031.tif 000006